【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
密閉箱の内部隔室への進入を管理する方法であって、前記密閉箱は、該密閉箱の扉を施錠および開錠する施錠機構と、生体センサと、キーパッドと、メモリとを有し、前記方法は、
前記メモリに格納されている既定のマスタ・シーケンスを供給するステップと、
前記キーパッドを用いて、前記メモリに主要識別シーケンスを格納する機能を設けるステップと、
前記生体センサを用いて、前記メモリに主要一意識別形質を格納する機能を設けるステップと、
を備えており、
前記主要一意識別形質と一致する第１の識別形質を、前記生体センサを用いて供給することによって、前記施錠機構を開錠し、および
前記内部隔室への進入が前記第１識別形質の供給後に拒絶される場合に、前記主要識別シーケンスと一致する第１の入力シーケンスを、前記キーパッドを用いて入力することによって、前記施錠機構を開錠させる、方法。
【請求項２】
請求項１記載の方法であって、更に、前記生体センサおよび前記キーパッドを前記密閉箱の扉に装着するステップを備えている、方法。
【請求項３】
請求項１記載の方法において、前記主要識別シーケンスは、５桁の数字である、方法。
【請求項４】
請求項１記載の方法において、前記既定のマスタ・シーケンスは、第三者によって安全に維持されており、前記既定のマスタ・シーケンスへの進入を主要ユーザに与える、方法。
【請求項５】
請求項１記載の方法であって、更に、
前記キーパッドを用いて、次位識別シーケンスを前記メモリに格納する機能を設けるステップと、
前記生体センサを用いて次位一意識別形質を前記メモリに格納する機能を設けるステップと、
を備えており、
前記次位一意識別形質と一致する第２の識別形質を、前記生体センサを用いて供給することによって、前記施錠機構を開錠し、および
前記内部隔室への進入が前記第２識別形質の供給後に拒絶される場合に、前記次位識別シーケンスと一致する第２の入力シーケンスを、前記キーパッドを用いて入力することによって、前記施錠機構を開錠させる、方法。
【請求項６】
請求項５記載の方法において、前記次位識別シーケンスは、５桁の数字である、方法。
【請求項７】
請求項５記載の方法において、前記キーパッドを用いた前記主要識別シーケンスと一致する第１の入力シーケンスの供給、および前記生体センサを用いた前記主要一意識別形質と一致する第１の識別形質の供給のうちの少なくとも１つの後に、前記次位識別シーケンスおよび前記次位一意識別形質の少なくとも１つを前記メモリに格納させる、方法。
【請求項８】
請求項５記載の方法であって、更に、前記キーパッドを用いて前記既定のマスタ・シーケンスを入力することにより、前記メモリに格納されている前記次位識別シーケンスおよび前記次位一意識別形質を削除するステップを備えている、方法。
【請求項９】
請求項１記載の方法であって、更に、前記キーパッドを用いて前記既定のマスタ・シーケンスを入力することにより、前記メモリに格納されている前記主要識別シーケンスおよび前記主要一意識別形質を削除するステップを備えている、方法。
【請求項１０】
請求項１記載の方法において、前記密閉箱は鍵錠を含み、前記施錠機構は、前記鍵錠が開錠位置にある場合にのみ、開錠する、方法。
【請求項１１】
請求項１記載の方法において、前記第１入力シーケンスまたは前記第１識別形質の少なくとも１つを、メモリに格納する、方法。
【請求項１２】
密閉箱の内部隔室へ進入する方法であって、前記密閉箱は、該密閉箱の扉を施錠および開錠する施錠機構と、生体センサと、キーパッドと、メモリとを有し、前記方法は、
前記メモリに格納されている既定のマスタ・シーケンスを供給するステップと、
前記キーパッドを用いて、前記メモリに主要識別シーケンスを格納するステップと、
前記生体センサを用いて、前記メモリに主要一意識別形質を格納するステップと、
を備えており、
前記主要一意識別形質と一致する第１の識別形質を、前記生体センサを用いて供給することによって、前記施錠機構を開錠し、および
前記内部隔室への進入が前記第１識別形質の供給後に拒絶される場合に、前記主要識別シーケンスと一致する第１の入力シーケンスを、前記キーパッドを用いて入力することによって、前記施錠機構を開錠させる、方法。
【請求項１３】
請求項１２記載の方法において、前記生体センサおよびキーパッドは、前記密閉箱の扉に装着されている、方法。
【請求項１４】
請求項１２記載の方法において、前記主要識別シーケンスは、５桁の数字である、方法。
【請求項１５】
請求項１２記載の方法において、前記既定のマスタ・シーケンスは、第三者によって安全に維持されており、前記既定のマスタ・シーケンスへの進入を主要ユーザに与える、方法。
【請求項１６】
請求項１２記載の方法であって、更に、
前記キーパッドを用いて、次位識別シーケンスを前記メモリに格納するステップと、
前記生体センサを用いて、次位一意識別形質を前記メモリに格納するステップと、
を備えており、
前記次位一意識別形質と一致する第２の識別形質を、前記生体センサを用いて供給することによって、前記施錠機構を開錠し、および
前記内部隔室への進入が前記第２識別形質の供給後に拒絶される場合に、前記次位識別シーケンスと一致する第２の入力シーケンスを、前記キーパッドを用いて入力することによって、前記施錠機構を開錠させる、方法。
【請求項１７】
請求項１６記載の方法において、前記次位識別シーケンスは、５桁の数字である、方法。
【請求項１８】
請求項１６記載の方法において、前記キーパッドを用いた前記主要識別シーケンスと一致する第１の入力シーケンスの供給、および前記生体センサを用いた前記主要一意識別形質と一致する第１の識別形質の供給のうちの少なくとも１つの後に、前記次位識別シーケンスおよび前記次位一意識別形質の少なくとも１つを前記メモリに格納させる、方法。
【請求項１９】
請求項１６記載の方法であって、更に、前記キーパッドを用いて前記既定のマスタ・シーケンスを入力することにより、前記メモリから前記次位識別シーケンスおよび前記次位一意識別形質を削除するステップを備えている、方法。
【請求項２０】
請求項１２記載の方法であって、更に、前記キーパッドを用いて前記既定のマスタ・シーケンスを入力することにより、前記メモリから前記主要識別シーケンスおよび前記主要一意識別形質を削除するステップを備えている、方法。
【請求項２１】
請求項１２記載の方法において、前記密閉箱は鍵錠を含み、前記施錠機構は、前記鍵錠が開錠位置にある場合にのみ、開錠する、方法。
【請求項２２】
請求項１２記載の方法であって、更に、前記第１入力シーケンスおよび前記第１識別形質の少なくとも１つを、前記メモリに格納するステップを備えている、方法。
【請求項２３】
密閉箱の内部隔室への進入を管理するシステムであって、前記密閉箱は扉を含み、前記システムは、
前記密閉箱の扉を施錠および開錠するように動作する施錠機構と、
主要識別シーケンスおよび第１入力シーケンスを前記システムに入力させるように動作するキーパッドと、
主要一意識別形質および第１識別形質を前記システムに入力させるように動作する生体センサと、
記憶デバイスと、
プロセッサと、
を備えており、前記プロセッサが、
前記記憶デバイス内に、既定のマスタ・シーケンスと、前記主要識別シーケンスと、前記主要一意識別形質とを維持し、
前記第１入力シーケンスを前記第１識別シーケンスと比較し、
前記第１識別形質を前記主要一意識別形質と比較し、
前記第１入力シーケンスが前記主要識別シーケンスと一致する場合、前記施錠機構を開錠し、
前記第１識別形質が前記主要一意識別形質と一致する場合、前記施錠機構を開錠するようにプログラムされている、システム。
【請求項２４】
請求項２３記載のシステムであって、更に、鍵錠を備えており、前記施錠機構は、前記鍵錠が開錠位置にある場合にのみ、開錠する、システム。
【請求項２５】
請求項２３記載のシステムにおいて、前記第１入力シーケンスまたは前記第１識別形質の少なくとも１つを前記記憶デバイスに格納した、システム。
【請求項２６】
メモリ内に、既定のマスタ・シーケンスと、主要識別シーケンスと、主要一意識別形質とを維持するステップであって、キーパッドを用いて前記主要識別シーケンスを確定し、生体センサを用いて前記主要一意識別形質を確定する、ステップと、
第１の入力シーケンスを前記主要識別シーケンスと比較するステップであって、前記キーパッドを用いて、前記第１入力シーケンスを入力する、ステップと、
第１の識別形質を前記主要一意識別形質と比較するステップであって、前記生体センサを用いて前記第１識別形質を入力する、ステップと、
前記第１入力シーケンスが前記主要識別シーケンスと一致した場合、前記施錠機構を開錠するステップと、
前記第１識別形質が前記主要一意識別形質と一致した場合、前記施錠機構を開錠するステップと、
から成る方法を実行するコンピュータ実行可能命令を有するコンピュータ読み取り可能媒体。